(57)【特許請求の範囲】
【請求項１】
周方向に複数枚の羽根を持つインペラと、前記インペラの背面側に仕切板を有し、前記仕切板における前記インペラの出口近傍、かつ半径方向に、逆位相を発生させるため、長さ方向に断面形状が変わらず、穴の最外径の中心から回転軸を通る半径方向の線に対して反回転方向に角度θで傾斜し形成される前記穴又は逆位相を発生させるため、長さ方向に断面形状が変わらず、開口の最外径の中心から回転軸を通る半径方向の線に対して反回転方向に角度θで傾斜し形成される連結孔の前記開口を、１つまたは複数個有することを特徴とする送風機。
【請求項２】
周方向に複数枚の羽根を持つインペラと、前記インペラの外周部に設置したディフューザと、前記インペラ及び前記ディフューザの背面側に仕切板と、を有し、
前記仕切板における前記インペラの略出口から前記ディフューザの入口の間、かつ半径方向に、逆位相を発生させるための長さ方向に断面形状が変わらず、穴の最外径の中心から回転軸を通る半径方向の線に対して反回転方向に角度θで傾斜し形成される前記穴又は逆位相を発生させるための長さ方向に断面形状が変わらず、開口の最外径の中心から回転軸を通る半径方向の線に対して反回転方向に角度θで傾斜し形成される連結孔の前記開口を、１つ又は複数個有することを特徴とする送風機。
【請求項３】
請求項１又は２に記載の送風機において、
前記穴または前記連結孔の開口を前記インペラの略出口と羽根付きディフューザの羽根入口径の間に設置したことを特徴とする送風機。
【請求項４】
請求項２に記載の送風機において、
前記穴または前記連結孔を前記ディフューザの仕切板又はインペラにおける最外径より小さい範囲に設置したことを特徴とする送風機。
【請求項５】
請求項１乃至４の何れか１項に記載の送風機を有する電動送風機。
【発明の詳細な説明】
【技術分野】
【０００１】
本発明は、送風機およびそれを用いた電気掃除機、乃至流体機械に関する。
【背景技術】
【０００２】
本技術分野の背景技術として、例えば、特開２０１３−１３６９８０号公報（特許文献１）がある。特許文献１には、低騒音の電動送風機および電気掃除機を提供することを目的に、シャフトに設けられた整流子とロータ巻線が施されたロータコアからなるロータと、前記ロータの外周に位置し磁束を発生するステータと、前記ステータを保持すると共に前記ロータを回転自在に保持するブラケットと、前記シャフトの一端に取着されると共に複数の羽根を有するインペラと、前記インペラの外周に位置し前記インペラから吐き出された風を整流するディフューザと、前記インペラと前記ディフューザを覆うと共に中央部に吸気口を有したケーシングとを備え、前記吸気口に、流路断面積を拡大する円筒状の溝から成る消音空間部を設けた電動送風機が示されている。
特許文献１は、前記吸気口に、流路断面積を拡大する円筒状の溝から成る消音空間部を設けたもので、電動送風機で発生する気流の脈動に起因する特定周波数の騒音を共鳴を利用して消音することができる。
【先行技術文献】
【特許文献】
【０００３】
【特許文献１】特開２０１３−１３６９８０号公報
【発明の概要】
【発明が解決しようとする課題】
【０００４】
電気掃除機や流体機械に用いられるインペラは、インペラの回転により圧力変動が生じ、騒音（主にインペラ羽根枚数と回転数の積で求まる翼通過周波数（以下、翼通過周波数）の騒音）が発生するため騒音低減が課題である。特に、インペラ外周部に設置するディフューザに、複数の羽根を持つ羽根付きディフューザを用いた場合は、翼通過周波数騒音が増加し、耳障りな音となり、騒音レベルの低減の他に音質の改善も必要である。さらに、羽根付きディフューザの中には、隣接する羽根により重なり部が形成される形状もある。この重なり部を形成する羽根付きディフューザは、重なり部で発生する定在波により所定の運転回転数で騒音が増加する課題を持つ。
【０００５】
特許文献１に記載のように吸気口（以下、吸込み口）に消音空間部を設けた電動送風機は、吸込み部から放射する騒音の低減に有効であると考えられる。しかし、インペラ出口部あるいはインペラ出口部とディフューザ入口の間に音源を持つ翼通過周波数を含む騒音は、吸込み口だけでなく送風機の下流側や送風機を覆うケーシングから放射され、騒音低減量が低下する恐れがある。
【０００６】
そこで本発明は、インペラ出口部あるいはインペラ出口部とディフューザ入口の間に音源を持つ翼通過周波数を含む騒音を、音源付近で吸音することで、低騒音な送風機およびそれを用いた電気掃除機、乃至流体機械を提供することを目的としている。
【課題を解決するための手段】
【０００７】
上記の目的を達成するため、例えば、特許請求の範囲に記載の構成を採用する。
【０００８】
本発明は上記課題を解決する手段を多数含んでいるが、その一例を挙げるならば、周方向に複数枚の羽根を持つインペラと、前記インペラの背面側に仕切板を有し、前記仕切板における前記インペラの出口近傍、かつ半径方向に、逆位相を発生させるため、長さ方向に断面形状が変わらず、穴の最外径の中心から回転軸を通る半径方向の線に対して反回転方向に角度θで傾斜し形成される前記穴又は逆位相を発生させるため、長さ方向に断面形状が変わらず、開口の最外径の中心から回転軸を通る半径方向の線に対して反回転方向に角度θで傾斜し形成される連結孔の前記開口を、１つまたは複数個有することを特徴とする。
【発明の効果】
【０００９】
本発明によれば、インペラ出口部とディフューザ入口の間に音源を持つ翼通過周波数を含む騒音を、音源付近で吸音することができ、低騒音の電動送風機およびそれを用いた電気掃除機、乃至流体機械を提供することが可能である。
【図面の簡単な説明】
【００１０】
【図１】羽根付きディフューザを有する流体機械の模式的な横断面図である。
【図２】実施例１の送風機の模式図である。
【図３】実施例１の送風機の横断面図である。
【図４】図３のＡ-Ａ断面矢視図で、実施例１のディフューザのみを記載した図である。
【図５】実施例１の穴の有無による送風機の騒音レベルの比較を示した図である。
【図６】掃除機本体の模式的な横断面図である。
【図７】電動送風機の縦断面図である。
【図８】図３のＡ-Ａ断面矢視図で、実施例２のディフューザのみを記載した図である。
【図９】実施例２の連結孔の有無による送風機の騒音レベルの比較を示した図である。
【図１０】実施例２の連結孔の有無による送風機の騒音レベルの回転数変化を示した図である。
【発明を実施するための形態】
【００１１】
以下、本発明の実施例１から実施例２を図に基づいて詳説する。
【実施例１】
【００１２】
以下、本発明の一実施例を、図面を用いて説明する。
【００１３】
まず、図１を用いて、代表的な遠心型流体機械について説明する。図１に羽根付きディフューザを有する流体機械の模式的な横断面図を示す。流体機械１００において、モータの回転軸１０２の長さ方向を軸方向、直交する方向を半径方向とする。
【００１４】
流体機械１００は、モータの回転軸１０２にインペラ１０３が取り付けられ、その外周に羽根付きディフューザ１０４が設置されている。羽根付きディフューザ１０４は、複数枚の羽根を持つものである。羽根付きディフューザ１０４には、シュラウド側１１０に漏れを抑制するリング１０５と、ハブ面１１１を形成する仕切板１０８が設けられている。羽根付きディフューザ１０４の下流には、戻り流路１０６が形成されている。戻り流路１０６は、前記リング１０５、乃至ディフューザを覆うケーシング１０９と仕切板１０８により形成されている。戻り流路１０６は、半径方向外側に向いた流路を内側に転向させるものである。戻り流路１０６の下流側には、リターンガイド１０７を有する。
【００１５】
次に、流体機械１００内の流体の流れを説明する。インペラ１０３の回転により吸込み口１０１から流体が流入し、インペラ１０３で昇圧された後に、羽根付きディフューザ１０４の内部へ流入する。羽根付きディフューザ１０４は、インペラ１０３から流出された流体の流速を減速させることで静圧が上昇する。羽根付きディフューザ１０４を出た流れは、戻り流路１０６で半径方向外向きの流れから内向きの流れへと転向される。また、戻り流路１０６から出た流れはリターンガイド１０７により回転方向の旋回速度が減少され、下流側へ案内された後、所定の出口から排出される。
【００１６】
また、図１中のインペラ１０３は、シュラウド板を有するクローズドインペラを示しているが、シュラウド板がないオープンインペラでもよい。また、羽根付きディフューザ１０４は、リング１０５を介してケーシング１０９と接触する構成ではなく、ケーシング１０９と直接接触する構成でもよい。また、リング１０５は、ゴム製もしくは、やわらかい樹脂材でもよい。
【００１７】
次に、図２の送風機２００について説明する。図２は代表例としてインペラ２０１と羽根付きディフューザ２０２を示す。インペラ２０１は複数枚の羽根（２０３、２０４など）から構成されており、羽根付きディフューザ２０２は複数枚のディフューザ羽根（２０５、２０６など）により重なり部２０７が形成されている。なお、図２は代表例として、インペラ羽根枚数Ｚｉが８枚、ディフューザ羽根枚数Ｚｄが１５枚の場合を示す。
【００１８】
また、本発明が対象とする送風機の代表的な諸元について説明する。本発明に用いられる電動送風機、乃至流体機械のインペラ外径はおおよそφ２０mm〜φ５００mmの範囲にあり、最高回転数はおおよそ毎分１００００〜１５００００回転の範囲にある。
【００１９】
ここで、羽根付きディフューザの構成について述べる。羽根付きディフューザ２０２の重なり部２０７は、隣り合うディフューザ羽根２０５、２０６と、仕切板と、で形成される部分であり、かつ、ディフューザ入口スロート部２０９と、ディフューザ羽根２０６の後縁２０８の内側の形状と直交する線上の重なり部出口２１０までとする。また、重なり部の長さＬ２１１は、重なり部２０７の形状に沿って略正接する円を書き、各円の中心を通る線の長さとする。なお、後縁２０８にテーパやＲ部などを設けた場合は、これらの部位を除いた最外径を後縁位置としてもよい。
【００２０】
羽根付きディフューザ２０２の重なり部２０７では、重なり部出口２１０付近を開口端とする定在波が存在し、所定の運転回転数で騒音が増加する懸念がある。さらに、翼通過周波数の発生理由は、インペラ回転に伴うインペラ出口の圧力変動である。すなわち、所定の運転回転数において、インペラ出口圧力変動が重なり部の定在波を加振し、翼通過周波数を含む騒音が送風機の上流だけでなく、周辺へ放射され、送風機全体の騒音が増大する。
【００２１】
図３に、図２で記載した送風機の断面図を示す。図３では、羽根付きディフューザ３０１の仕切板３０２と、インペラ３０４の間、かつインペラ最外径３０９より半径方向内向きに穴３０７が構成されている。穴３０７の開口３０６は、インペラ３０４の最外径（出口）３０９とディフューザ入口３１０の間で定義する動静翼干渉場３０３と繋がっている。なお、穴３０７は仕切板３０２に設けられた凸部３０５と、凸部３０５と接触する板３０８から構成され、穴３０７の開口３０６は、インペラ最外径３０９と略一致し、前記穴３０７は半径方向内向きに延びている。なお、穴３０７は仕切板３０２と前記板３０８から構成された開口３０６以外から、空気の漏れがないように仕切板３０２と板３０８とを溶着や接着により貼付け、またはＯリング等の漏れ防止構造が用いられている。また、前記穴３０７は、パイプやねじ穴でもよい。なお、穴３０７はディフューザのリングやケーシングに構成してもよい。また、インペラの外周部に設けたディフューザは羽根付きディフューザ、羽根なしディフューザ、遠心型、斜流型でもよい。周方向に複数枚の羽根を持つインペラと、前記インペラの出口近傍に、周方向に開口を持つ穴又は後述する連結孔を、１つまたは複数個有することにより、インペラ出口部に音源を持つ翼通過周波数を含む騒音を、音源付近で吸音することができ、低騒音の電動送風機およびそれを用いた電気掃除機、乃至流体機械を提供することが可能である。
【００２２】
図４に、図３に示したディフューザ３０１のＡ−Ａ断面矢視図を示す。
図４のディフューザ４００（図３で示したディフューザ３０１）は仕切板４０１（図３で示した仕切板３０２）と周方向に複数枚の羽根４０２、４０３を持つ。また、仕切板４０１は、動静翼干渉場４０４（図３で示した仕切板３０３）に開口４０５（図３で示した開口３０６）を持つ穴４０６、４０９（図３で示した穴３０７）が周方向に複数個設置された構成である。穴４０６は羽根４０２と隣接する羽根４０３との間、かつ動静翼干渉場４０４に開口４０５を持ち、周方向に配置した開口４０５は略同一半径に設置している。また、穴４０６、４０９の長さを長さＢとする。穴４０６は開口４０５の中心から回転軸４０７を通る半径方向の線４０８に対して、反回転方向に角度θで傾斜し形成され、インペラの回転方向に向かう空気の流れを阻害しないように設置している。なお、図４は周方向に設置した穴４０６、４０９の数をディフューザ４００の羽根枚数と一致させているが、羽根枚数と異なってもよい。また、穴４０６，４０９の角度θは回転方向と同一でもよく、半径方向でもよく、軸方向に延びてもよい。さらに、穴４０６、４０９の長さＢを形成する形は直線でも１つまたは複数の曲率半径を持つ円弧形状でも、スプライン形状でもよい。また、穴４０６、４０９の開口４０５の径もしくは幅は、ディフューザ４００を樹脂成型する場合、ディフューザ４００の羽根４０２，４０３の最小板厚より大きく取れば、ヒケの問題を解決できる。また、穴４０６，４０９の長さＢは図２に記載した重なり長さＬと略同一としてもよいし、例えば、略４〜８５ｍｍとしてもよい。また、穴の径は穴の長さより小さければ、穴の断面形状は丸でも四角形でもよい。穴の設置位置は周方向に均等でも不均一でもよく、複数個設けた穴４０６の長さＢや穴の形状が異なっていてもよい。
【００２３】
次に、図５に本実施例の穴の有無による送風機の騒音レベルの比較結果を示す。なお、本比較はディフューザの入口部に各周波数別の点音源を与えた音響解析結果である。
【００２４】
図５から、穴ありは穴なしに比べて、騒音レベルを４ｄＢ低減できることがわかる。これは、動静翼干渉場４０４で発生する翼通過周波数騒音を含む騒音の周波数の波長λが穴４０６の長さの略４倍（４Ｂ）となる際に、穴の中で定在波が発生し、開口に入ってくる音波に対して、穴の中から開口に向かっていく音波の位相が逆位相になるため、動静翼干渉場４０４で発生する音波を打ち消しあうことができ、騒音低減が可能となるためである。また、穴の長さを重なり部長さと略同一とした場合は、穴の中の音波の位相が重なり部の定在波で生じる騒音を低減する効果がある。
【００２５】
すなわち、本実施例の構成にすれば、インペラ出口部とディフューザ入口の間に音源を持つ翼通過周波数を含む騒音を、音源付近で吸音することができ、騒音低減を図ることができる。
【００２６】
ここで、図６を用いて、電動送風機６００の構成について説明する。図６は電動送風機６００の縦断面図である。電動送風機６００は送風機６０１と電動機６０２から構成されている。
【００２７】
電動機６０２は、一端が開口されたハウジング６０３と、このハウジング６０３の開口側に配置されたエンドブラケット６０４により電動機外殻を構成している。ロータ６０６の回転軸６０５はハウジング６０３の反開口側とエンドブラケット６０４により回転可能に支持され、この回転軸６０５にロータ６０６が取り付けられている。ロータ６０６の外周側にはステータ６０７が配置された構成となっている。ロータ６０６への電気の供給は、ブラシ６０８とそれに接触するコンミテータ６０９により伝えられる。ハウジング６０３内にはロータ６０６、ステータ６０７、ブラシ６０８が収納されている。
【００２８】
送風機６０１は、回転軸６０５に固定され、吸込み口６１５を備えたインペラ６１０と、このインペラ６１０の外周側に配置されたディフューザ６１１と、このディフューザ６１１に対して仕切板６１２を挟んで対面に配置されるリターンガイド６１３とがファンケーシング６１４内に収められた構成となっている。ファンケーシング６１４は、ハウジング６０３の開口側に配置され、インペラ６１０、ディフューザ６１１、前記リターンガイド６１３を覆っている。仕切板６１２はインペラ６１０の背面側（反吸込み口側）に位置している。仕切板６１２の前面側にはディフューザ６１１が配置され、仕切板６１２の後面側にはリターンガイド６１３が配置される。
【００２９】
この構成において、電動送風機入口６１５から流入した空気は、まずインペラ６１０で昇圧および増速される。その後、ディフューザ６１１を通過した流れは曲がり流路を経て略１８０°転向し、リターンガイド６１３へと流入するが、この過程において流れは減速されて、その分だけ圧力が上昇する。リターンガイド６１３を通過した流れは、電動機のハウジング６０３内に流入し、ロータ６０６、ステータ６０７、ブラシ６０８、コンミテータ６０９などを冷却してから排気される。
【００３０】
さらに、図７に図６の電動送風機を搭載した場合の電気掃除機全体について説明する。図７に模式的に示した電気掃除機本体７００の上から見た横断面図において、電気掃除機本体７００の構成を説明する。電気掃除機本体７００に着脱自在なホース継ぎ手７０１を装着する側を電気掃除機本体７００の前側とする。
【００３１】
電気掃除機本体７００の前側に、紙パック７０３を保持するための集塵室７０２を備え、電気掃除機本体７００の後側に、電動送風機７０６を収納するためのモータ室７０５を備え、集塵室７０２とモータ室７０５との間に、万一、紙パック７０３から塵埃が漏れ出ても、集塵室７０２内の塵埃がモータ室７０５へ流入するのを抑制するためのフィルタ部７０４を備える。集塵室７０２とモータ室７０５とは、フィルタ部７０４を介して連通する。集塵室７０２には、着脱自在な紙パック７０３を備える。紙パック７０３の開口がホース継ぎ手７０１に連通する。紙パック７０３内に塵埃が堆積していくと、紙パック７０３が膨らみ、紙パック７０３の開口と反対側の底部がフィルタ部７０４に当接するようになる。モータ室７０５に、吸引力を発生する電動送風機７０６を備える。電動送風機７０６の前端とモータ室７０５の前側の壁面との間に、電動送風機７０６の振動が電気掃除機本体７００に伝達することを抑制するための防振ゴム７０７（防振部材）を備える。防振部材は、ゴムの代わりバネであってもよい。電動送風機７０６は、前端に、空気を吸い込むための送風機入口７０８を備え、後側の側方に、空気を排出するための送風機出口７０９を備える。そして、送風機入口７０８がフィルタ部７０４に対して開口している。モータ室７０５の側方に、電源コードを巻きつけて収納するためのコードリール７１０を備える。また、電動送風機の電流を感知し、運転条件を制御する制御回路７１２を備える。また、電気掃除機本体７００の後側両側方に、車輪７１１を備える。なお、図示しないが、ホース継ぎ手７０１には、ホースが接続され、ホースには、操作管が接続され、操作管には、延長管が接続され、延長管には、吸込み具が接続される。
【００３２】
次に、電気掃除機本体７００内の空気の流れを説明する。ホース継ぎ手７０１から流入した空気は、集塵室７０２に入る。図７は集塵手段として紙パック７０３が示されているが、パックの素材は問わない。また、サイクロン方式の場合は、サイクロン室（サイクロン式集塵ケース）が紙パック７０３の代わりに収まる。紙パック７０３で塵埃を取り除かれた空気は、その後モータ室７０５に流入する。電動送風機７０６は、モータ室７０５に防振ゴム７０７を介して設置されており、送風機入口７０８から流入した空気は昇圧された後、送風機出口７０９から排気され、図示してないが、電気掃除機本体７００の排気口から外部に排出される。
【００３３】
図７に代表される電気掃除機に用いられる図６のような電動送風機およびそれを用いた電気掃除機または、流体機械に、本実施例の構成の送風機を搭載すれば、インペラ出口部とディフューザ入口の間に音源を持つ翼通過周波数を含む騒音を音源付近で吸音することができるとともに、重なり部の定在波で増加された騒音を低減できることから、幅広い運転回転数範囲で低騒音化が図れる。
【実施例２】
【００３４】
次に、実施例２の送風機８００の形状について図８を用いて説明する。実施例１と基本的な構成は同じであるので同一要素については同一符号を付してその説明を省略する。ここでは、図３中の送風機３００のうち、ディフューザと仕切板に注目して記載し、以下に説明する。
【００３５】
図８は、図４の送風機部分と同じように、図３に示したディフューザ３０１のＡ−Ａ断面矢視図を示す。
【００３６】
仕切板８０１は、図３で記述した３０３の動静翼干渉場８０４に開口８０５、開口８０６を持ち、前記２つの開口を結ぶ連結孔８０７が仕切板８０１の凸部８１１と図３の板３０８により構成されており、連結孔８０７が周方向に複数設置されている。連結孔８０７はディフューザの羽根８０２と隣接する羽根８０３との間に開口８０５、８０６を持つ。また、いずれかの開口のうち、例えば開口８０６の中心から回転軸８０８を通る半径方向の線８０９に対して、連結孔８０７の構成は反回転方向に角度θで傾斜し形成され、インペラの回転方向に向かう流れを阻害しないように設置している。なお、図８は周方向に設置した連結孔８０７、８１０をディフューザ羽根枚数と一致させているが、羽根枚数と異なってもよい。また、開口８０５と開口８０６は、ディフューザの羽根８０３をまたぐように設置してもよい。また、連結孔の角度θは回転方向と同一、半径方向でもよく、連結穴４０７の長さＣの形は、１つまたは複数の曲率半径を持つ円弧で作成された形状、スプライン形状でもよい。
【００３７】
また、連結孔８０７の開口８０５，８０６は、ディフューザ８００を樹脂成型する場合、ディフューザの羽根８０２の最小板厚より大きく取れば、ヒケの問題を解決できる。また、連結孔８０７の長さＣは図２に記載した重なり長さＬと略同一としても、例えば、略４〜８５ｍｍでもよい。また、開口の直径または一辺の長さは長さＣより小さければ、孔の断面形状は丸でも四角形でもよい。また、連結孔の設置位置は周方向に均等でも不均一でもよく、複数個設けた連結孔８０７の長さＣや形状が異なっていてもよい。
【００３８】
次に、図９に本実施例の連結孔の有無による送風機騒音レベルの比較結果を示す。なお、本比較はディフューザ入口部に各周波数別の点音源を与えた音響解析結果である。
【００３９】
図９から、連結孔ありは、連結孔なしに比べて、騒音レベルを３ｄＢ低減できることがわかる。これは、動静翼干渉場で発生する翼通過周波数騒音を含む騒音の周波数の波長λが連結孔８０７の長さと略一致する際に、連結孔の中で定在波が発生し、例えば開口８０５に入ってくる音波に対して、開口８０６から放射される音波の位相が逆位相になるため、動静翼干渉場で発生する音波を打ち消しあうことができ、騒音低減が可能となるためである。また、連結孔長さＣを重なり部長さと略同一とした場合は、連結孔の中の音波の位相差により重なり部の定在波で生じる騒音を低減する効果がある。
【００４０】
次に、図１０に運転回転数を変化させた際の、本実施例の連結孔の有無による送風機騒音レベルの比較結果を示す。なお、図１０は本実施例のディフューザを送風機に組込み騒音を測定し、回転数を変化させた際の騒音レベルの比較結果である。なお、図１０の横軸は、設計回転数を１とした無次元回転数を示す。
【００４１】
図１０から、設計回転数（無次元回転数１）において、連結孔ありは連結孔なしに比べて、騒音レベルを３ｄＢ低減できることがわかる。また、無次元回転数の広い範囲において、騒音低減可能であることがわかる。これは、前記に記載した動静翼干渉場で発生する翼通過周波数騒音を含む騒音を連結孔により低減できるためである。
【００４２】
すなわち、本実施例の構成にすれば、インペラ出口部とディフューザ入口の間に音源を持つ翼通過周波数を含む騒音を、音源付近で吸音することで、幅広い運転回転数範囲で低騒音化が図れる。
【００４３】
なお、図８の送風機を組み込んだ際の横断面図は図３と、電動送風機は図６およびそれを用いた電気掃除機の構成は図７と略同一であるため説明は省略する。
【００４４】
なお、図７に代表される掃除機に用いられる図６のような電動送風機および電気掃除機または、流体機械に、本実施例の構成の送風機を搭載すれば、インペラ出口部とディフューザ入口の間に音源を持つ翼通過周波数を含む騒音を、音源付近で吸音することで、幅広い運転回転数範囲で低騒音化が図れる。
【符号の説明】
【００４５】
１００  流体機械
１０１  吸込み口
１０２  回転軸
１０３、２０１、３０４、６１０  インペラ
１０４、２０２、３０１、４００、６１１、８００  羽根付きディフューザ
１０５  リング
１０６  戻り流路
１０７、６１３  リターンガイド
１０８、３０２、４０１、６１２、８０１  仕切板
１０９、６１４  ケーシング
１１０  シュラウド側
１１１  ハブ側
２００、３００、６０１  送風機
２０３、２０４  インペラ羽根
２０５、２０６、４０２、４０３、８０２、８０３  ディフューザ羽根
２０７  重なり部
２０８  ディフューザ羽根の後縁
２０９  重なり部出口
２１０  入口スロート部
２１１  重なり長さ
３０３、４０４、８０４  動静翼干渉場
３０５、８１１  仕切板凸部
３０６、４０５、８０５、８０６  開口
３０７、４０６、４０９  穴
３０８  板
３０９  インペラ最外径
３１０  ディフューザ入口
４０７、６０５、８０７  回転軸
４０８、８０８  開口と回転軸を通る半径方向の線
５００  穴の有無による騒音レベルの変化
６００、７０６  電動送風機
６０２  電動機
６０３  ハウジング
６０４  エンドブラケット
６０６  ロータ
６０７  ステータ
６０８  ブラシ
６０９  コンミテータ
６１５  電動送風機入口
７００  電気掃除機本体
７０１  ホース継ぎ手
７０２  集塵室
７０３  紙パック
７０４  フィルタ部
７０５  モータ室
７０７  防振ゴム
７０８  送風機入口
７０９  送風機出口
７１０  コードリール
７１１  車輪
７１２  制御回路
８０７、８１０  連結孔
９００、１０００  連結孔の有無による騒音レベルの変化
【図１】
0006803686.tif 000002
【図２】
0006803686.tif 000003
【図３】
0006803686.tif 000004
【図４】
0006803686.tif 000005
【図５】
0006803686.tif 000006
【図６】
0006803686.tif 000007
【図７】
0006803686.tif 000008
【図８】
0006803686.tif 000009
【図９】
0006803686.tif 000010
【図１０】
0006803686.tif 000011